(57)【特許請求の範囲】
【請求項１】
浴室に臨むミストノズルと、ミストノズルに水を供給する給水路と、給水路に二次側を介設した液々熱交換器と、熱源機で加熱された熱媒体を液々熱交換器の一次側を介して循環させる熱媒循環路とを備え、液々熱交換器の下流側の給水路の部分に水温検出手段を設けたミストサウナ装置であって、
熱媒循環路に循環させる熱媒体により、ミストノズルに供給する水を液々熱交換器を介して加熱して、ミストノズルから噴霧させる温水ミスト運転と、ミストノズルに供給する水を加熱せずに、ミストノズルから噴霧させる冷水ミスト運転とを選択可能としたものにおいて、
水温検出手段を液々熱交換器の二次側の出口より上方に位置させ、
冷水ミスト運転が選択されたとき、水温検出手段の検出温度が所定温度以下になるまで冷水ミスト運転の開始を遅らせることを特徴とするミストサウナ装置。
【請求項２】
請求項１記載のミストサウナ装置であって、
浴室内に空気を送る送風手段を更に備えるものにおいて、
冷水ミスト運転が選択されたとき、送風手段を作動させると共に、送風手段の作動により送られる空気を液々熱交換器の配置部に流すことを特徴とするミストサウナ装置。
【請求項３】
浴室に臨むミストノズルと、ミストノズルに水を供給する給水路と、給水路に二次側を介設した液々熱交換器と、熱源機で加熱された熱媒体を液々熱交換器の一次側を介して循環させる熱媒循環路とを備え、液々熱交換器の下流側の給水路の部分に水温検出手段を設けたミストサウナ装置であって、
熱媒循環路に循環させる熱媒体により、ミストノズルに供給する水を液々熱交換器を介して加熱して、ミストノズルから噴霧させる温水ミスト運転と、ミストノズルに供給する水を加熱せずに、ミストノズルから噴霧させる冷水ミスト運転とを選択可能としたものにおいて、
浴室内に空気を送る送風手段を更に備え、
冷水ミスト運転が選択されたとき、送風手段を作動させると共に、送風手段の作動により送られる空気を液々熱交換器の配置部に流し、水温検出手段の検出温度が所定温度以下になるまで冷水ミスト運転の開始を遅らせることを特徴とするミストサウナ装置。
【発明の詳細な説明】
【技術分野】
【０００１】
本発明は、浴室に臨むミストノズルと、ミストノズルに水を供給する給水路と、給水路に二次側を介設した液々熱交換器と、熱源機で加熱された熱媒体を液々熱交換器の一次側を介して循環させる熱媒循環路とを備え、液々熱交換器の下流側の給水路の部分に水温検出手段を設けたミストサウナ装置に関する。
【背景技術】
【０００２】
従来、この種のミストサウナ装置として、熱媒循環路に循環させる熱媒体により、ミストノズルに供給する水を水温検出手段の検出温度が所定の設定温度となるように液々熱交換器を介して加熱して、ミストノズルから噴霧させる温水ミスト運転を行うものが知られている（例えば、特許文献１参照）。また、特許文献１には開示されていないが、上記温水ミスト運転と、ミストノズルに供給する水を加熱せずに、ミストノズルから噴霧させる冷水ミスト運転とを選択可能とするミストサウナ装置も知られている。
【０００３】
然し、このものでは、温水ミスト運転の停止後に冷水ミスト運転を行うと、液々熱交換器が自然放熱して冷えるまでは、ミストノズルに供給される水が液々熱交換器の熱により加熱され、その加熱された水が噴霧されてしまう。そして、使用者は冷水ミスト運転を選択したことからミストノズルに顔や手をかざすことがあり、加熱された水が噴霧されたのでは使用者に不快感を与えてしまう。
【先行技術文献】
【特許文献】
【０００４】
【特許文献１】特開２０１１―９４８８５号公報
【発明の概要】
【発明が解決しようとする課題】
【０００５】
本発明は、以上の点に鑑み、冷水ミスト運転を行うとき、加熱された水が噴霧されることを防止できるようにしたミストサウナ装置を提供することをその課題としている。
【課題を解決するための手段】
【０００６】
上記課題を解決するために、本願の第１発明は、浴室に臨むミストノズルと、ミストノズルに水を供給する給水路と、給水路に二次側を介設した液々熱交換器と、熱源機で加熱された熱媒体を液々熱交換器の一次側を介して循環させる熱媒循環路とを備え、液々熱交換器の下流側の給水路の部分に水温検出手段を設けたミストサウナ装置であって、熱媒循環路に循環させる熱媒体により、ミストノズルに供給する水を液々熱交換器を介して加熱して、ミストノズルから噴霧させる温水ミスト運転と、ミストノズルに供給する水を加熱せずに、ミストノズルから噴霧させる冷水ミスト運転とを選択可能としたものにおいて、水温検出手段を熱交換器の二次側の出口より上方に位置させ、冷水ミスト運転が選択されたとき、水温検出手段の検出温度が所定温度以下になるまで冷水ミスト運転の開始を遅らせることを特徴とする。
【０００７】
第１発明によれば、冷水ミスト運転が選択されたとき、水温検出手段の検出温度が所定温度以下になるまでは冷水ミスト運転が開始されない。そして、液々熱交換器が放熱し冷えるまでは、液々熱交換器の熱の自然対流により、熱交換器の二次側の出口より上方の給水路の部分の水温が他の部分よりも高くなり、この水温を水温検出手段で検出できる。そのため、水温検出手段の検出温度が所定温度以下になれば、冷水ミスト運転を開始した後に所定温度より高い温度の水がミストノズルから噴霧されることはない。従って、冷水ミスト運転を行うとき、加熱された水が噴霧されることを確実に防止できる。
【０００８】
また、第１発明において、浴室内に空気を送る送風手段を更に備える場合、冷水ミスト運転が選択されたとき、送風手段を作動させると共に、送風手段の作動により送られる空気を液々熱交換器の配置部に流すことが望ましい。これによれば、送風手段の作動で送られる空気が液々熱交換器の配置部を流れることで、液々熱交換器の放熱が促進されるため、冷水ミスト運転の開始までの待ち時間を短縮でき、更に、送風手段の作動により送られた空気で使用者の体表温度を下げることができる。
【０００９】
また、本願の第２発明は、浴室に臨むミストノズルと、ミストノズルに水を供給する給水路と、給水路に二次側を介設した液々熱交換器と、熱源機で加熱された熱媒体を液々熱交換器の一次側を介して循環させる熱媒循環路とを備え、液々熱交換器の下流側の給水路の部分に水温検出手段を設けたミストサウナ装置であって、熱媒循環路に循環させる熱媒体により、ミストノズルに供給する水を液々熱交換器を介して加熱して、ミストノズルから噴霧させる温水ミスト運転と、ミストノズルに供給する水を加熱せずに、ミストノズルから噴霧させる冷水ミスト運転とを選択可能としたものにおいて、浴室内に空気を送る送風手段を更に備え、冷水ミスト運転が選択されたとき、送風手段を作動させると共に、送風手段の作動により送られる空気を液々熱交換器の配置部に流し、水温検出手段の検出温度が所定温度以下になるまで冷水ミスト運転の開始を遅らせることを特徴とする。
【００１０】
第２発明によれば、冷水ミスト運転が選択されたとき、水温検出手段の検出温度が所定温度以下になるまでは冷水ミスト運転が開始されない。一方で、送風手段の作動で送られる空気が液々熱交換器の配置部を流れることで、液々熱交換器の放熱が促進される。従って、冷水ミスト運転を行うとき、冷水ミスト運転の開始までの待ち時間を短縮しつつ、加熱された水が噴霧されることを防止できる。更に、送風手段の作動により送られた空気で使用者の体表温度を下げることができる。
【図面の簡単な説明】
【００１１】
【図１】本発明の実施形態のミストサウナ装置を具備する浴室暖房機の構成図。
【図２】実施形態のミストサウナ装置が行う制御内容を示すフロー図。
【発明を実施するための形態】
【００１２】
図１を参照して、１は本発明の実施形態のミストサウナ装置を具備する浴室暖房機を示している。浴室暖房機１は、浴室ＢＲの天井部に設置されている。浴室暖房機１の下面カバー２には、吸込み口３と、可変ルーバ４ａ付きの吹出し口４とが開設されている。浴室暖房機１内には、吸込み口３から吹出し口４に至る通風路５が設けられており、この通風路５に、浴室ＢＲ内の空気を吸込み口３から吸込んで吹出し口４から浴室ＢＲ内に送る送風手段たる循環ファン６と、通風路５に流れる空気を加熱する放熱器７とが配置されている。
【００１３】
放熱器７には、別置きの熱源機８に連なる暖房用熱媒循環路９が接続されている。暖房用熱媒循環路９は、熱源機８で加熱された熱媒体を放熱器７に供給する往路９ａと、放熱器７を通過した熱媒体を熱源機８に戻す復路９ｂとで構成されている。暖房用熱媒循環路９の往路９ａには、開閉弁から成る暖房用熱媒弁１０が介設されており、熱源機８で加熱された熱媒体が暖房用熱媒弁１０の開弁で放熱器７を介して暖房用熱媒循環路９に循環される。そして、循環ファン６の作動により吸込み口３から吸込まれた浴室ＢＲの空気が放熱器７で加熱され、温風となって吹出し口４から浴室ＢＲ内に送られ、浴室ＢＲの暖房が行われる。
【００１４】
尚、吸込み口３に臨ませて室温サーミスタ１１が設けられており、また、暖房用熱媒循環路９の往路９ａには熱媒サーミスタ１２が設けられている。
【００１５】
また、通風路５の吸込み口３側の部分から分岐して屋外にのびる換気通路１３が設けられている。そして、換気通路１３に換気ファン１４を設け、換気ファン１４を作動させることで、浴室ＢＲ内の空気が屋外に排気されるようにしている。尚、換気通路１３には、換気ファン１４の下流側に位置させて、逆流防止のための換気用ダンパ１５が設けられている。
【００１６】
浴室暖房機１は、更に、その下面カバー２に設けられた浴室ＢＲに臨むミストノズル１６と、ミストノズル１６に水を供給する給水路１７と、液々熱交換器１８とを備えている。液々熱交換器１８の二次側１８ｂは給水路１７に介設されている。そして、熱源機８で加熱された熱媒体を液々熱交換器１８の一次側１８ａに、暖房用熱媒循環路９から分岐させたミスト用熱媒循環路１９を介して循環させ、この熱媒体により、ミストノズル１６に供給する水が液々熱交換器１８を介して加熱されるようにしている。
【００１７】
ミスト用熱媒循環路１９は、暖房用熱媒循環路９の往路９ａから分岐されて液々熱交換器１８の一次側１８ａの入口に接続される流入路１９ａと、暖房用熱媒循環路９の復路９ｂから分岐されて液々熱交換器１８の一次側１８ａの出口に接続される流出路１９ｂとで構成されている。流出路１９ｂには、熱媒体の流量が調節可能で、且つ、熱媒体の循環を遮断可能なミスト用熱媒弁２０が介設されている。
【００１８】
給水路１７には、液々熱交換器１８の上流側に位置させて開閉弁から成る給水弁２１が介設されると共に、液々熱交換器１８の下流側に位置させて開閉弁から成るミスト弁２２が介設されている。更に、液々熱交換器１８とミスト弁２２との間の給水路１７の部分には、水温検出手段たるミストサーミスタ２３が設けられている。
【００１９】
上記した循環ファン６、暖房用熱媒弁１０、換気ファン１４、ミスト用熱媒弁２０、給水弁２１及びミスト弁２２は、浴室暖房機１のコントローラＣにより制御される。このコントローラＣには、室温サーミスタ１１、熱媒サーミスタ１２及びミストサーミスタ２３の検出信号が入力される。また、コントローラＣは、浴室ＢＲに設置するリモコンが通信可能に接続されている。そして、ミスト用熱媒循環路１９に循環させる熱媒体により、ミストノズル１６に供給する水を液々熱交換器１８を介して加熱して、ミストノズル１６から噴霧させる温水ミスト運転と、ミストノズル１６に供給する水を加熱せずに、ミストノズル１６から噴霧させる冷水ミスト運転とをリモコンに設けられた温水ミストスイッチと冷水ミストスイッチにより選択可能としている。
【００２０】
温水ミスト運転時には、ミストサーミスタ２３の検出温度が所定の設定温度となるようにミスト用熱媒循環路１９に流れる熱媒体の流量をミスト用熱媒弁２０で制御する。
【００２１】
ところで、温水ミスト運転の停止後に冷水ミスト運転を行うと、液々熱交換器１８が自然放熱して冷えるまでは、ミストノズル１６に供給される水が液々熱交換器１８の熱により加熱され、その加熱された水が噴霧されてしまう。そして、使用者は冷水ミスト運転を選択したことからミストノズル１６に顔や手をかざすことがあり、加熱された水が噴霧されたのでは使用者に不快感を与えてしまう。
【００２２】
そこで、本実施形態では、ミストサーミスタ２３を液々熱交換器１８の二次側１８ｂの出口より上方に位置させている。そして、コントローラＣは、冷水ミスト運転が選択されたとき、ミストサーミスタ２３の検出温度が所定温度以下になるまで冷水ミスト運転の開始を遅らせる。
【００２３】
更に、循環ファン６の下流側の通風路５の部分に隣接する空間５ａに液々熱交換器１８を配置すると共に、この空間５ａを通風路５に連通、遮断する複数（例えば、４個）の送風用ダンパ２４を設けている。送風用ダンパ２４は、図１に実線で示すように、水平にさせることで空間５ａを通風路５に連通する開状態になり、図１に点線で示すように、一直線に並ばせることで空間５ａを通風路５から遮断する閉状態になる。そして、コントローラＣは、冷水ミスト運転が選択されたとき、循環ファン６を作動させると共に、送風用ダンパ２４を開状態とし、循環ファン６の作動により送られる空気を液々熱交換器１８の配置部に流す。尚、送風用ダンパ２４を省略することも可能である。
【００２４】
以下、図２を参照して、冷水ミスト運転について詳述する。先ず、使用者がリモコンの冷水ミストスイッチをオンして、冷水ミスト運転が選択されると、ＳＴＥＰ１で、ミスト用熱媒弁２０を閉弁させると共に、給水弁２１及びミスト弁２２を閉弁させる。また、このとき、循環ファン６を作動させると共に、送風用ダンパ２４を開状態にする。
【００２５】
続いて、ＳＴＥＰ２で、ミストサーミスタ２３による温度検出を開始し、ミストサーミスタ２３の検出温度が所定温度ＹＴ以下になったか否を判別する。ミストサーミスタ２３の検出温度が所定温度ＹＴ以下になると、ＳＴＥＰ３で、給水弁２１及びミスト弁２２を開弁させて、冷水ミスト運転を開始する。
【００２６】
冷水ミスト運転の開始後は、ＳＴＥＰ４で、冷水ミスト運転の停止指令があるか否かを判別し、停止指示があると、ＳＴＥＰ５で、給水弁２１及びミスト弁２２を閉弁させ、更に、循環ファン６を停止すると共に、送風用ダンパ２４を閉状態にして、冷水ミスト運転を終了する。
【００２７】
本実施形態によれば、冷水ミスト運転が選択されたとき、ミストサーミスタ２３の検出温度が所定温度ＹＴ以下になるまでは冷水ミスト運転が開始されない。そして、液々熱交換器１８が放熱し冷えるまでは、液々熱交換器１８の熱の自然対流により、液々熱交換器１８の二次側１８ｂの出口より上方の給水路１７の部分の水温が他の部分よりも高くなり、この水温をミストサーミスタ２３で検出できる。そのため、ミストサーミスタ２３の検出温度が所定温度ＹＴ以下になれば、冷水ミスト運転を開始した後に所定温度ＹＴより高い温度の水がミストノズル１６から噴霧されることはない。従って、冷水ミスト運転を行うとき、加熱された水が噴霧されることを確実に防止できる。
【００２８】
尚、上記所定温度ＴＹを、冷水ミストを浴びようとする使用者が不快に感じない温度範囲の上限値（例えば、３５℃）に合わせて設定しておけば、使用者が冷水ミスト運転を選択してミストノズル１６に顔や手をかざしたときに、加熱された水が噴霧されて使用者に不快感を与えてしまうことを防止できる。
【００２９】
更に、本実施形態では、循環ファン６の作動で送られる空気が液々熱交換器１８の配置部を流れることで、液々熱交換器１８の放熱が促進されるため、冷水ミスト運転の開始までの待ち時間を短縮でき、更に、循環ファン６の作動により送られた空気で使用者の体表温度を下げることができる。
【００３０】
以上、本発明の実施形態について図面を参照して説明したが、本発明はこれに限定されない。例えば、循環ファン６の下流側の通風路５の部分に隣接する空間５ａに液々熱交換器１８を配置せずに、通風路５から分岐した、循環ファン６の作動により送られる空気の一部が流れる分岐通風路を設けて、この分岐通風路に液々熱交換器１８を配置してもよい。但し、このような分岐通風路を設けたのでは、コストアップを招くため、上記空間５ａに液々熱交換器１８を配置することが望ましい。
【００３１】
また、加熱された水が噴霧されることを確実に防止するために、上記実施形態では、ミストサーミスタ２３を液々熱交換器１８の二次側１８ｂの出口より上方に位置させているが、必ずしもそのように位置させなくてもよい。
【００３２】
更に、上記実施形態では、浴室暖房機１にミストサウナ装置が組み込まれているが、浴室暖房機１から分離独立して設けられるミストサウナ装置にも同様に本発明を適用できる。
【符号の説明】
【００３３】
ＢＲ…浴室、６…循環ファン（送風手段）、８…熱源機、１６…ミストノズル、１７…給水路、１８…液々熱交換器、１９…ミスト用熱媒循環路、２３…ミストサーミスタ（水温検出手段）。
【図１】
0005964871.tif 000002
【図２】
0005964871.tif 000003